(57)【要約】  ネットワーク管理装置は、使用状況表（１３９）を生成する。使用状況表は、リンク識別子とスロット識別子とを行と列とに有する二次元配列の形式で並べられたセルを有する表であって、セルに対応する周波数スロットがセルに対応するリンクで使用されているか否かの状況をセルの表示態様で表した表である。ネットワーク管理装置は、使用状況表を含んだ割り当て画面（１３０）を表示装置に表示させる。ネットワーク管理装置は、伝送経路に割り当てる周波数スロットの範囲である割り当て範囲を決定する。ネットワーク管理装置は、使用状況表に含まれるセルのうち、割り当て範囲に対応するセルの表示態様を、割り当て範囲を表す表示態様にする。
2017013708.tif 000002
【特許請求の範囲】
【請求項１】
ネットワークシステムが有するリンクを識別するリンク識別子と前記ネットワークシステムで使用される周波数スロットを識別するスロット識別子とを行と列とに有する二次元配列の形式で並べられたセルを有する表であって、セルに対応する周波数スロットがセルに対応するリンクで使用されているか否かの状況をセルの表示態様で表した表である使用状況表を生成する使用状況表生成部と、
生成された使用状況表を含んだ割り当て画面を表示装置に表示させる割り当て画面表示部と
を備えるネットワーク管理装置。
【請求項２】
前記使用状況表は、複数のリンクのそれぞれのリンク識別子と、周波数が連続する複数の周波数スロットのそれぞれのスロット識別子と、に対応するセルを含み、
前記ネットワーク管理装置は、
周波数スロットの数を特定するスロット数情報を受け付けるスロット数受付部と、
前記複数の周波数スロットから、前記複数のリンクのいずれのリンクでも使用されていない周波数スロットが連続しているスロット範囲であって受け付けられたスロット数情報によって特定される数の周波数スロットから成るスロット範囲を割り当て範囲として抽出する割り当て範囲抽出部と、
前記使用状況表に含まれるセルのうち、抽出された割り当て範囲に対応するセルの表示態様を、割り当て範囲を表す表示態様にする割り当て範囲表示部と
を備える請求項１に記載のネットワーク管理装置。
【請求項３】
前記ネットワーク管理装置は、
指定スロットを識別する指定スロット識別子を受け付ける指定スロット受付部を備え、
前記割り当て範囲抽出部は、受け付けられた指定スロット識別子で識別される指定スロットを含むことを条件にして、前記割り当て範囲を抽出する
請求項２に記載のネットワーク管理装置。
【請求項４】
前記割り当て範囲抽出部は、前記指定スロットを含んだスロット範囲を前記割り当て範囲として抽出できない場合、前記指定スロットを含まないスロット範囲を前記割り当て範囲として抽出する
請求項３に記載のネットワーク管理装置。
【請求項５】
前記割り当て範囲抽出部は、前記指定スロットからスロット範囲までの周波数スロットの数が閾値よりも少ないことを条件にして、前記指定スロットを含まないスロット範囲を前記割り当て範囲として抽出する
請求項４に記載のネットワーク管理装置。
【請求項６】
前記割り当て範囲抽出部は、前記複数のリンクのいずれのリンクでも使用されていない周波数スロットが連続しているスロット範囲を特定する空き範囲情報を含んだ空き範囲ファイルを用いて、前記割り当て範囲を抽出する
請求項３に記載のネットワーク管理装置。
【請求項７】
前記割り当て範囲抽出部は、前記空き範囲ファイルから、前記指定スロット識別子で識別される周波数スロットを含んで前記スロット数情報によって特定される数以上の周波数スロットを含んだスロット範囲を特定する空き範囲情報を選択し、選択した空き範囲情報によって特定されるスロット範囲から前記割り当て範囲を抽出する
請求項６に記載のネットワーク管理装置。
【請求項８】
前記使用状況表を用いて前記空き範囲ファイルを生成する空き管理部を備える請求項６に記載のネットワーク管理装置。
【請求項９】
前記割り当て画面は、変調方式を指定するためのユーザインタフェースと、帯域幅を指定するためのユーザインタフェースとを有し、
前記スロット数受付部は、前記割り当て画面で指定された変調方式と帯域幅とを前記スロット数情報として受け付け、変調方式と帯域幅とに対応付けられたスロット数を含んだスロット数管理ファイルから、前記スロット数情報に含まれる変調方式と帯域幅とに対応付けられたスロット数を、前記スロット数情報によって特定される数として選択する
請求項２に記載のネットワーク管理装置。
【請求項１０】
前記使用状況表生成部は、リンク識別子に対応付けられた情報であって使用されている周波数スロットを特定する情報である使用スロット情報を含んだリンク管理ファイルを用いて、前記使用状況表を生成する
請求項１に記載のネットワーク管理装置。
【請求項１１】
前記ネットワークシステムは２つ以上のリンクを有し、
前記ネットワーク管理装置は、
前記ネットワークシステムが有する２つ以上のリンクのうちの複数のリンクを特定するリンク情報を受け付けるリンク情報受付部を備え、
前記使用状況表生成部は、前記リンク管理ファイルに含まれる使用スロット情報のうち、受け付けられたリンク情報によって特定される複数のリンクのそれぞれのリンク識別子に対応付けられた使用スロット情報を用いて、前記使用状況表を生成し、
前記使用状況表は、前記複数のリンクのそれぞれのリンク識別子と、周波数が連続する複数の周波数スロットのぞれぞれのスロット識別子と、に対応付けられたセルを含む
請求項１０に記載のネットワーク管理装置。
【請求項１２】
前記ネットワーク管理装置は、
複数のリンクを特定する情報を指定するためのユーザインタフェースを有する経路画面を前記表示装置に表示させる経路画面表示部を備え、
前記リンク情報受付部は、前記経路画面で指定された情報を前記リンク情報として受け付ける
請求項１１に記載のネットワーク管理装置。
【請求項１３】
ネットワークシステムが有するリンクを識別するリンク識別子と前記ネットワークシステムで使用される周波数スロットを識別するスロット識別子とを行と列とに有する二次元配列の形式で並べられたセルを有する表であって、セルに対応する周波数スロットがセルに対応するリンクで使用されているか否かの状況をセルの表示態様で表した表である使用状況表を生成する使用状況表生成処理と、
生成された使用状況表を含んだ割り当て画面を表示装置に表示させる割り当て画面表示処理と
をコンピュータに実行させるためのネットワーク管理プログラム。
【発明の詳細な説明】
【技術分野】
【０００１】
本発明は、ネットワークシステムを管理する技術に関するものである。
【背景技術】
【０００２】
波長多重伝送を適用した光ネットワークの大容量化を実現する技術として、エラスティック光ネットワークが注目されている。
非特許文献１は、エラスティック光ネットワークの最適化について開示している。【０００３】
従来の固定グリッド型光ネットワークでは、中心周波数が疎なグリッドの中心周波数間隔に収まる帯域が各光パスに割り当てられる。中心周波数が疎なグリッドが（１９３．１ＴＨｚ＋  ｛  １２．５，  ２５，  ５０，  １００  ｝×ｎ  ＧＨｚ  ）である場合、グリッドの中心周波数間隔は（１２．５，  ２５，  ５０，  １００ＧＨｚ）であり、これらの中心周波数間隔に収まる帯域が各光パスに割り当てられる。【０００４】
一方、エラスティック光ネットワークでは、中心周波数と周波数スロット幅とを可変にして、各光パスに帯域を割り当てることが可能である。可変の中心周波数の一例は（１９３．１ＴＨｚ  ＋  ６．２５×ｎ  ＧＨｚ）であり、可変の周波数スロット幅の一例は（１２．５ＧＨｚ×ｍ）である。
また、エラスティック光ネットワークでは、要求される帯域が異なる光パスで周波数グリッド幅が異なること、および、変調方式が異なる光パスで周波数グリッド幅が異なること、を許容する。
そして、エラスティック光ネットワークでは、必要最小限の周波数資源が各光パスに密に割り当てられるため、ネットワークリソースの利用効率を向上させることが可能である。【０００５】
光ネットワークには、波長変換装置を経由する場合を除いて、各光パスに割り当てられた周波数帯域が始点装置から終点装置まで不変でなければならない、という制約がある。この制約を波長／周波数スロット連続性の制約という。「波長／周波数」は、波長および周波数を意味する。
光パスの経路と光パスに割り当てる周波数帯域とを決定する光パスプロビジョニング時には、伝送装置間の波長多重リンクを通過する光パスの周波数帯域が、互いに競合しないことが必要となる。【０００６】
エラスティック光ネットワークでは、光パスを周波数軸上に不規則に配置することが許容されるため、未使用で狭い周波数帯域が光パスを収容可能な周波数帯域として多数生じて、ネットワークリソースの利用効率が低下する可能性がある。
この問題は、光パスの確立要求に対して、伝送経路をどのように決定し、周波数帯域あるいは周波数軸をスロット単位で区切った周波数スロットをどのように割り当てるのか、というＲＳＡ問題として知られる。ＲＳＡ（登録商標）は、Ｒｏｕｔｉｎｇ  ａｎｄ  Ｓｐｅｃｔｒｕｍ  Ａｓｓｉｇｎｍｅｎｔの略称である。【０００７】
ＲＳＡ問題の解法として、光パスの経路を自動で算出し、光パスの使用周波数を自動で割り当てる手法が提案されている。
光パスの経路は、ダイクストラ法およびＫＳＰアルゴリズムを経路探索に用いることによって、自動で算出される。ダイクストラ法は、始点装置と終点装置との間の最短経路を導出する手法である。ＫＳＰアルゴリズムは、最短経路から順に複数の経路を算出する手法である。ＫＳＰは、ｋ−ｓｈｏｒｔｅｓｔ  ｐａｔｈの略称である。
光パスの使用周波数は、Ｆｉｒｓｔ−Ｆｉｔ法またはＬｅａｓｔ−Ｕｓｅｄ法などの手法を光パスの経路に対して適用することによって、自動で割り当てられる。Ｆｉｒｓｔ−Ｆｉｔ法は、利用可能な波長／周波数の中で最も小さい波長／周波数を選択する手法である。Ｌｅａｓｔ−Ｕｓｅｄ法は、波長／周波数が使用されているリンクの数が最も少ない波長／周波数を選択する手法である。【０００８】
特許文献２は、光パスの確立要求が複数あった場合の手法として、各光パスの経路を算出し、算出した各光パスの経路を長さの昇順に並び替え、並べ替え後の順番で各光パスの使用周波数を割り当てる手法を提案している。各光パスの使用周波数は、Ｆｉｒｓｔ−Ｆｉｔ法で割り当てられる。【０００９】
光パスプロビジョニングには、自動プロビジョニングと手動プロビジョニングとの２種類がある。
自動プロビジョニングでは、経路選択アルゴリズム及び周波数割り当てアルゴリズムを使用して、光パスの経路と使用周波数が自動で算出される。
手動プロビジョニングでは、ネットワーク運用管理者によって、光パスの経路と使用周波数が手動で選択される。【００１０】
自動プロビジョニングには、以下のような欠点がある。
ネットワークを運用する管理者は、光パスが収容するトラヒックのサービス優先度に応じて波長／周波数があらかじめ決定している、または、特定の波長／周波数が障害復旧時の迂回経路用に使用される、といった複雑な制約条件を設定する。
しかし、自動プロビジョニングでは、このような制約条件が考慮されないため、所望の経路と使用周波数が算出される可能性がある。【００１１】
手動プロビジョニングには、光パスが経由する経路において所望の波長／周波数リソースが連続で空いているか否かを確認する作業を管理者が行う必要がある、という欠点がある。光パスが経由する経路とは、光パスが経由する中継装置及び波長多重リンクを意味する。
従来の固定グリッド光ネットワークでは、中心周波数が疎なグリッドの中心周波数間隔に収まる帯域が光パスに割り当てられるため、管理者は、中心周波数に波長番号を付与し、付与した波長番号が経路上で連続して空いているか否かを確認すればよい。
しかし、エラスティック光ネットワークでは、光パスによって必要な周波数帯域が異なり、また、可変の中心周波数および可変の周波数スロット幅が波長／周波数リソースとして扱われるため、所望の波長／周波数リソースが空いているか否かを確認する作業が煩雑になる。
【先行技術文献】
【非特許文献】
【００１２】
【非特許文献１】“エラスティック光ネットワークの最適化”、２０１３年電子情報通信学会通信ソサイエティ大会、ＢＩ−２−２．
【非特許文献２】“高効率光エラスティック網の実現に向けた光パス長に応じた光パス割当アルゴリズム”、２０１４電子情報通信学会通信ソサイエティ大会、Ｂ−１２−６．
【発明の概要】
【発明が解決しようとする課題】
【００１３】
本発明は、周波数スロットの使用状況を確認し易くできるようにすることを目的とする。
【課題を解決するための手段】
【００１４】
本発明のネットワーク管理装置は、
ネットワークシステムが有するリンクを識別するリンク識別子と前記ネットワークシステムで使用される周波数スロットを識別するスロット識別子とを行と列とに有する二次元配列の形式で並べられたセルを有する表であって、セルに対応する周波数スロットがセルに対応するリンクで使用されているか否かの状況をセルの表示態様で表した表である使用状況表を生成する使用状況表生成部と、
生成された使用状況表を含んだ割り当て画面を表示装置に表示させる割り当て画面表示部とを備える。
【発明の効果】
【００１５】
本発明によれば、使用状況表を含んだ割り当て画面が表示されるため、周波数スロットの使用状況を確認し易くなる。
【図面の簡単な説明】
【００１６】
【図１】実施の形態１におけるネットワーク管理システム１００の構成図。
【図２】実施の形態１におけるネットワーク管理装置２００の機能構成図。
【図３】実施の形態１におけるＧＵＩ制御部２１０の機能構成図。
【図４】実施の形態１における経路画面１２０の構成図。
【図５】実施の形態１における経路画面１２０の概要図。
【図６】実施の形態１における割り当て画面１３０の構成図。
【図７】実施の形態１における割り当て画面１３０の概要図。
【図８】実施の形態１におけるプロビジョニング部２２０の機能構成図。
【図９】実施の形態１におけるリンク管理ファイル２９２の構成図。
【図１０】実施の形態１における空き範囲ファイル２９３の構成図。
【図１１】実施の形態１におけるスロット数管理ファイル２９４の構成図。
【図１２】実施の形態１におけるネットワーク管理方法のフローチャート。
【図１３】実施の形態１における経路情報受付処理（Ｓ１１０）のフローチャート。
【図１４】実施の形態１における経路情報検査処理（Ｓ１１３）のフローチャート。
【図１５】実施の形態１における割り当て画面表示処理（Ｓ１２０）のフローチャート。
【図１６】実施の形態１における使用状況表生成処理（Ｓ１２１）のフローチャート。
【図１７】実施の形態１における空き管理処理（Ｓ１２２）のフローチャート。
【図１８】実施の形態１における割り当て範囲抽出処理（Ｓ１３０）のフローチャート。
【図１９】実施の形態１における割り当て範囲抽出処理（Ｓ１３０）のフローチャート。
【図２０】実施の形態１における割り当て画面１３０の概要図。
【図２１】実施の形態１における割り当て画面１３０の概要図。
【図２２】実施の形態におけるネットワーク管理装置２００のハードウェア構成図。
【発明を実施するための形態】
【００１７】
実施の形態１．
ネットワークシステムを管理するネットワーク管理システム１００について、図１から図２１に基づいて説明する。
【００１８】
＊＊＊構成の説明＊＊＊
図１に基づいて、ネットワーク管理システム１００について説明する。
ネットワーク管理システム１００は、ネットワーク管理装置２００と管理端末装置１０２とを備える。
ネットワーク管理装置２００は、ネットワークシステムに対する運用と監視と制御とを行うことによって、ネットワークシステムを管理するシステムである。
ネットワークシステムは、２つ以上の伝送装置と各伝送装置を接続するリンクとを有する。
【００１９】
実施の形態におけるネットワークシステムは光ネットワーク１１０である。
光ネットワーク１１０は、光通信を行うネットワークシステムである。
光ネットワーク１１０は、２つ以上の伝送装置と２つ以上のリンクとを有する。
Ｎ１０１〜Ｎ１０７は、伝送装置を識別する装置識別子である。光ネットワーク１１０において、伝送装置は光伝送装置とも呼ばれる。光信号を電気的に終端することなくスイッチングする光スイッチは伝送装置の一例である。
Ｌ１０１〜Ｌ１０９は、リンクを識別するリンク識別子である。光ネットワーク１１０において、リンクは波長多重リンクとも呼ばれる。
ネットワーク管理装置２００は、ネットワーク１０３を介して光ネットワーク１１０に接続し、光ネットワーク１１０を管理する。
【００２０】
管理端末装置１０２は、管理者１０１がネットワーク管理装置２００を利用するために操作する装置である。
管理端末装置１０２は、キーボードとマウスと表示装置などのＨＭＩを備える。ＨＭＩは、Ｈｕｍａｎ  Ｍａｃｈｉｎｅ  Ｉｎｔｅｒｆａｃｅの略称である。
【００２１】
図２に基づいて、ネットワーク管理装置２００の機能構成について説明する。
ネットワーク管理装置２００は、ＧＵＩ制御部２１０と、プロビジョニング部２２０と、ネットワーク制御部２３０と、記憶部２９０とを備える。
【００２２】
ＧＵＩ制御部２１０は、管理端末装置１０２と通信を行い、管理端末装置１０２の表示装置に表示するＧＵＩを制御する。ＧＵＩは、Ｇｒａｐｈｉｃａｌ  Ｕｓｅｒ  Ｉｎｔｅｒｆａｃｅの略称である。
【００２３】
図３に基づいて、ＧＵＩ制御部２１０の機能構成について説明する。
ＧＵＩ制御部２１０は、経路画面表示部２１１と、経路情報受付部２１２と、割り当て画面表示部２１４と、属性情報受付部２１５とを備える。
【００２４】
経路画面表示部２１１は、複数のリンクを特定する情報を指定するためのユーザインタフェースを有する経路画面を表示装置に表示させる。
【００２５】
図４および図５に基づいて、経路画面１２０の構成について説明する。
経路画面１２０は、経路情報が指定される画面である。経路情報は、伝送経路を特定する情報である。光ネットワーク１１０における伝送経路は光パスという。
【００２６】
経路画面１２０は、第１のテキストボックス１２１と、第２のテキストボックス１２２とを有する。
第１のテキストボックス１２１は、第１の装置識別子を指定するためのユーザインタフェースである。第１の装置識別子は、伝送経路の一方の端点となる伝送装置を識別する。
第２のテキストボックス１２２は、第２の装置識別子を指定するためのユーザインタフェースである。第２の装置識別子は、伝送経路の他方の端点となる伝送装置を識別する。
【００２７】
経路画面１２０は、第３のテキストボックス１２３と、経路表１２４とを有する。
第３のテキストボックス１２３は、ホップ数を指定するためのユーザインタフェースである。ホップ数は、伝送経路に含まれるリンクの数である。
経路表１２４は、複数の伝送装置と複数のリンクとを特定する情報を指定するためのユーザインタフェースである。
図５に示すように、経路表１２４には、複数の伝送装置のそれぞれの装置名と、複数のリンクのそれぞれのリンク名とが入力される。装置名は、伝送装置を識別する装置識別子である。リンク名は、リンクを識別するリンク識別子である。
【００２８】
経路画面１２０は、取消ボタン１２５と、決定ボタン１２６とを有する。
取消ボタン１２５は、第１のテキストボックス１２１と第２のテキストボックス１２２と第３のテキストボックス１２３と経路表１２４に入力された情報を取り消すためのユーザインタフェースである。
決定ボタン１２６は、第１のテキストボックス１２１と第２のテキストボックス１２２と第３のテキストボックス１２３と経路表１２４とに入力された情報を、ネットワーク管理装置２００に入力するためのユーザインタフェースである。
【００２９】
経路画面１２０は、ネットワーク構成図１２７を有する。
ネットワーク構成図１２７は、ネットワークシステムのネットワークトポロジを表した図である。ネットワーク構成図１２７は、ネットワーク管理ファイル２９１を用いて生成される。
【００３０】
図３に戻り、経路情報受付部２１２を説明する。
経路情報受付部２１２は、経路画面１２０で指定された経路情報を受け付ける。
経路情報受付部２１２は、リンク情報受付部２１３を備える。
【００３１】
リンク情報受付部２１３は、ネットワークシステムが有する２つ以上のリンクのうちの複数のリンクを特定するリンク情報を受け付ける。
受け付けられるリンク情報は、経路画面１２０で指定された情報である。経路画面１２０において、リンク情報は経路表１２４で指定される。
【００３２】
割り当て画面表示部２１４は、使用状況表１３９を含んだ割り当て画面１３０を表示装置に表示させる。使用状況表１３９は、プロビジョニング部２２０によって生成される。
割り当て画面１３０は、変調方式を指定するためのユーザインタフェースと、帯域幅を指定するためのユーザインタフェースとを有する。
【００３３】
図６および図７を用いて、割り当て画面１３０の構成について説明する。
割り当て画面１３０は、属性情報が指定される画面であって、割り当て範囲が表される画面である。属性情報は、伝送経路が有する属性を示す。割り当て範囲は、伝送経路に割り当てられるスロット範囲である。スロット範囲は、周波数スロットの範囲である。
【００３４】
割り当て画面１３０は、第１のテキストボックス１３１と、第２のテキストボックス１３２と、第３のテキストボックス１３３と、第４のテキストボックス１３４とを有する。
第１のテキストボックス１３１は、伝送経路を識別する経路識別子を指定するためのユーザインタフェースである。
第２のテキストボックス１３２は、伝送経路で使用する変調方式を指定するためのユーザインタフェースである。
第３のテキストボックス１３３は、伝送経路で使用する帯域幅を指定するためのユーザインタフェースである。
第４のテキストボックス１３４は、伝送経路で使用する周波数スロットの数を表示するためのユーザインタフェースである。周波数スロットの略称はＦＳである。
【００３５】
第２のテキストボックス１３２に変調方式が入力されて、第３のテキストボックス１３３に帯域幅が入力された場合、図７に示すように、第４のテキストボックス１３４にＦＳ数が表示される。
【００３６】
割り当て画面１３０は、経路図１３８を有する。
経路図１３８は、伝送経路に含まれる複数の伝送装置を示す図である。
【００３７】
割り当て画面１３０は、使用状況表１３９を有する。
使用状況表１３９は、二次元配列の形式で並べられたセルを有する表である。
使用状況表１３９において、行の要素は周波数とＦＳ番号であり、列の要素はリンク名である。ＦＳ番号は、周波数スロットを識別するスロット識別子である。
使用状況表１３９に示される周波数は、ＦＳ番号で識別される周波数スロットで使用される周波数帯域の中心の周波数である。周波数およびＦＳ番号は周波数リソースともいう。
白いセルは、セルに対応する周波数スロットがセルに対応するリンクで使用されていないことを意味する。
網掛けのセルは、セルに対応する周波数スロットがセルに対応するリンクで使用されていることを意味する。
【００３８】
図７において、使用状況表１３９に含まれる行のうち、太枠で囲まれた行は、指定スロットに対応する指定スロット行である。指定スロットは、指定された周波数スロットである。指定スロット行は、マウスカーソルを用いて指定される。
塗りつぶしのセルは、割り当て範囲に対応するセルである。
使用状況表１３９で周波数スロットが指定された場合、および、上ボタン１３５Ａまたは下ボタン１３５Ｂで指定スロット行が変更された場合、割り当て範囲に含まれる周波数スロットに対応するセルが塗りつぶされる。
【００３９】
割り当て画面１３０は、上ボタン１３５Ａと、下ボタン１３５Ｂと、取消ボタン１３６と、登録ボタン１３７とを有する。
上ボタン１３５Ａは、指定スロット行を１つ上の行に移動するためのユーザインタフェースである。
下ボタン１３５Ｂは、指定スロット行を１つ下の行に移動するためのユーザインタフェースである。
取消ボタン１３６は、第１〜第３のテキストボックスに入力された情報と、第４のテキストボックス１３４に表示されたＦＳ数と、使用状況表１３９に表された割り当て範囲と、を取り消すためのユーザインタフェースである。
登録ボタン１３７は、使用状況表１３９に表された割り当て範囲を各伝送装置に登録するためのユーザインタフェースである。
【００４０】
図３に戻り、属性情報受付部２１５を説明する。
属性情報受付部２１５は、伝送経路が有する属性を示す属性情報を受け付ける。
属性情報受付部２１５は、スロット数受付部２１６と、指定スロット受付部２１７とを備える。
【００４１】
スロット数受付部２１６は、周波数スロットの数を特定するスロット数情報を受け付ける。スロット数情報は属性情報に含まれる。
受け付けられるスロット数情報は、割り当て画面１３０で指定された変調方式と帯域幅である。
スロット数情報によって特定される数は、変調方式と帯域幅とに対応付けられたスロット数を含んだスロット数管理ファイル２９４から、スロット数情報に含まれる変調方式と帯域幅とに対応付けられたスロット数である。
【００４２】
指定スロット受付部２１７は、指定スロットを識別する指定スロット識別子を受け付ける。指定スロット識別子は属性情報に含まれる。
受け付けられる指定スロット識別子は、割り当て画面１３０で指定される。割り当て画面１３０において、指定スロット識別子は、使用状況表１３９で指定スロット行をクリックすること、または、指定スロット行を上下に移動することによって指定される。
【００４３】
図２に戻り、プロビジョニング部２２０について説明する。
プロビジョニング部２２０は、伝送経路に周波数スロットを割り当てるプロビジョニングを行う。
【００４４】
図８に基づいて、プロビジョニング部２２０の機能構成について説明する。
プロビジョニング部２２０は、使用状況表生成部２２１と、空き管理部２２２と、割り当て範囲抽出部２２３と、割り当て範囲表示部２２４とを備える。
【００４５】
使用状況表生成部２２１は、使用状況表１３９を生成する。
使用状況表１３９は、ネットワークシステムが有するリンクを識別するリンク識別子とネットワークシステムで使用される周波数スロットを識別するスロット識別子とを行と列とに有する二次元配列の形式で並べられたセルを有する。そして、使用状況表１３９は、セルに対応する周波数スロットがセルに対応するリンクで使用されているか否かの状況をセルの表示態様で表す。
使用状況表１３９は、複数のリンクのそれぞれのリンク識別子と、周波数が連続する複数の周波数スロットのそれぞれのスロット識別子と、に対応するセルを含む。
【００４６】
使用状況表生成部２２１は、リンク管理ファイル２９２を用いて、使用状況表１３９を生成する。
リンク管理ファイル２９２は、リンク識別子に対応付けられた情報であって使用されている周波数スロットを特定する情報である使用スロット情報を含む。
使用状況表１３９は、リンク管理ファイル２９２に含まれる使用スロット情報のうち、受け付けられたリンク情報によって特定される複数のリンクのそれぞれのリンク識別子に対応付けられた使用スロット情報を用いて生成される。
【００４７】
空き管理部２２２は、使用状況表１３９を用いて、空き範囲ファイル２９３を生成する。
空き範囲ファイル２９３は、複数のリンクのいずれのリンクでも使用されていない周波数スロットが連続しているスロット範囲を特定する空き範囲情報を含む。
【００４８】
割り当て範囲抽出部２２３は、複数の周波数スロットから割り当て範囲を抽出する。
割り当て範囲は、複数のリンクのいずれのリンクでも使用されていない周波数スロットが連続しているスロット範囲であって、受け付けられたスロット数情報によって特定される数の周波数スロットから成るスロット範囲である。
【００４９】
割り当て範囲抽出部２２３は、以下のように割り当て範囲を抽出する。
割り当て範囲抽出部２２３は、受け付けられた指定スロット識別子で識別される指定スロットを含むことを条件にして、割り当て範囲を抽出する。
割り当て範囲抽出部２２３は、空き範囲ファイル２９３から空き範囲情報を選択し、選択した空き範囲情報によって特定されるスロット範囲から割り当て範囲を抽出する。
選択される空き範囲情報は、指定スロット識別子で識別される周波数スロットを含んでスロット数情報によって特定される数以上の周波数スロットを含んだスロット範囲を特定する空き範囲情報である。
【００５０】
指定スロットを含んだスロット範囲を割り当て範囲として抽出できない場合、割り当て範囲抽出部２２３は、指定スロットを含まないスロット範囲を割り当て範囲として抽出する。
但し、割り当て範囲抽出部２２３は、指定スロットからスロット範囲までの周波数スロットの数が閾値よりも少ないことを条件にして、指定スロットを含まないスロット範囲を割り当て範囲として抽出する。
【００５１】
割り当て範囲表示部２２４は、使用状況表１３９に含まれるセルのうち、抽出された割り当て範囲に対応するセルの表示態様を、割り当て範囲を表す表示態様にする。
【００５２】
ネットワーク制御部２３０は、ネットワークシステムに備わる各伝送装置を制御する。
伝送経路に周波数スロットが割り当てられた場合、ネットワーク制御部２３０は、伝送経路が有する属性と、伝送経路に割り当てられた周波数スロットと、を伝送経路に含まれる各伝送装置に設定する。
【００５３】
記憶部２９０は、ネットワーク管理装置２００で使用、生成または入出力するデータを記憶する。
記憶部２９０に記憶されるデータの一例は、ネットワーク管理ファイル２９１と、リンク管理ファイル２９２と、空き範囲ファイル２９３と、スロット数管理ファイル２９４である。
【００５４】
ネットワーク管理ファイル２９１は、ネットワークシステムの情報として、ネットワークシステムに含まれる伝送装置の情報と、ネットワークシステムに含まれるリンクの情報と、ネットワークシステムで使用される周波数スロットの情報などを含む。
【００５５】
リンク管理ファイル２９２は、リンク識別子に対応付けられた情報であって使用されている周波数スロットを特定する情報である使用スロット情報を含む。
図９のリンク管理ファイル２９２において、リンクＩＤと、リンク名と、端点（Ａ）と、端点（Ｚ）と、使用ＦＳ番号とが互いに対応付けられている。使用ＦＳ番号は、使用スロット情報の一例である。
リンクＩＤおよびリンク名は、リンクを識別するリンク識別子である。
端点（Ａ）は、リンクの一方の端点となる伝送装置の装置識別子を示す。
端点（Ｚ）は、リンクの他方の端点となる伝送装置の装置識別子を示す。
使用ＦＳ番号は、リンクで使用されている周波数スロットのスロット識別子である。
図９の（１）および（２）に示す光パスが存在する場合、リンク管理ファイル２９２には、図９に示すリンク名と端点（Ａ）と端点（Ｚ）が登録される。
【００５６】
空き範囲ファイル２９３は、複数のリンクのいずれのリンクでも使用されていない周波数スロットが連続しているスロット範囲を特定する空き範囲情報を含む。複数のリンクのいずれのリンクでも使用されていない周波数スロットから成るスロット範囲を空き範囲という。
図１０の空き範囲ファイル２９３において、Ｎｏ．と、ＦＳ数と、最小ＦＳ番号と、最大ＦＳ番号とが互いに対応付けられている。ＦＳ数と最小ＦＳ番号と最大ＦＳ番号は、空き範囲情報の一例である。
Ｎｏ．は、空き範囲を識別する識別子である。
ＦＳ数は、空き範囲に含まれる周波数スロットの数である。
最小ＦＳ番号は、空き範囲に含まれる周波数スロットのうちで周波数が最小である周波数スロットを識別する。
最大ＦＳ番号は、空き範囲に含まれる周波数スロットのうちで周波数が最大である周波数スロットを識別する。
【００５７】
図１１に示すように、スロット数管理ファイル２９４は、変調方式と帯域幅とに対応付けられたスロット数を含む。
【００５８】
＊＊＊動作の説明＊＊＊
ネットワーク管理装置２００の動作はネットワーク管理方法に相当する。また、ネットワーク管理方法はネットワーク管理プログラムの処理手順に相当する。
【００５９】
図１２に基づいて、ネットワーク管理方法について説明する。
Ｓ１１０において、ネットワーク管理装置２００は、経路情報を受け付ける。
【００６０】
図１３に基づいて、経路情報受付処理（Ｓ１１０）について説明する。
Ｓ１１１は経路画面表示処理である。
Ｓ１１１において、経路画面表示部２１１は、ネットワーク管理ファイル２９１を用いてネットワーク構成図１２７を生成し、ネットワーク構成図１２７を含んだ経路画面１２０のデータを生成する。
そして、経路画面表示部２１１は、経路画面１２０のデータを管理端末装置１０２に送信することによって、管理端末装置１０２の表示装置に経路画面１２０を表示させる。
これにより、図４に示すような経路画面１２０が管理端末装置１０２の表示装置に表示される。
【００６１】
図５に示すように、経路画面１２０には、パス端点（Ａ）と、パス端点（Ｚ）と、ホップ数と、複数の装置名と、複数のリンク名とが、経路情報として入力される。そして、経路情報が入力された後、決定ボタン１２６が押下される。
【００６２】
Ｓ１１２は経路情報受付処理である。
Ｓ１１２において、経路情報受付部２１２は、経路画面１２０に入力された経路情報を受け付ける。
【００６３】
Ｓ１１３は経路情報検査処理である。
Ｓ１１３において、経路情報受付部２１２は、受け付けた経路情報を検査する。
【００６４】
図１４に基づいて、経路情報検査処理（Ｓ１１３）について説明する。
Ｓ１１３１において、経路情報受付部２１２は、ホップ数をホップ数閾値と比較する。
ホップ数がホップ数閾値未満である場合、処理はＳ１１３２に進む。
ホップ数がホップ数閾値以上である場合、経路情報受付部２１２は経路情報が異常であると判定し、経路情報検査処理（Ｓ１１３）は終了する。
【００６５】
Ｓ１１３２において、経路情報受付部２１２は、複数の装置名に重複が有るか判定する。
複数の装置名に重複が無い場合、処理はＳ１１３３に進む。
複数の装置名に重複が有る場合、経路情報受付部２１２は経路情報が異常であると判定し、経路情報検査処理（Ｓ１１３）は終了する。
【００６６】
Ｓ１１３３において、経路情報受付部２１２は、複数のリンク名に重複が有るか判定する。
複数のリンク名に重複が無い場合、処理はＳ１１３４に進む。
複数のリンク名に重複が有る場合、経路情報受付部２１２は経路情報が異常であると判定し、経路情報検査処理（Ｓ１１３）は終了する。
【００６７】
Ｓ１１３４において、経路情報受付部２１２は、ネットワーク管理ファイル２９１またはネットワーク構成図１２７を用いて、複数のリンク名に対応する複数の装置名が正しいか判定する。
リンク名に対応する装置名が、リンク名で識別されるリンクの端点となる伝送装置の装置名と一致する場合、リンク名に対応する装置名は正しい。
図５の経路表１２４において、Ｌ１０２というリンク名に対応する装置名は、Ｎ１０１とＮ１０２である。図５のネットワーク構成図１２７において、リンクＬ１０２の端点は伝送装置Ｎ１０１と伝送装置Ｎ１０２である。したがって、Ｌ１０２に対応するＮ１０１とＮ１０２は、正しい装置名である。
複数のリンク名に対応する複数の装置名が正しい場合、経路情報受付部２１２は経路情報が正常であると判定し、経路情報検査処理（Ｓ１１３）は終了する。
少なくともいずれかリンク名に対応する少なくともいずれかの装置名が誤っている場合、経路情報受付部２１２は経路情報が異常であると判定し、経路情報検査処理（Ｓ１１３）は終了する。
【００６８】
図１３に戻り、Ｓ１１４から説明を続ける。
Ｓ１１４において、経路情報が正常である場合、経路情報受付処理（Ｓ１１０）は終了する。
経路情報が異常である場合、経路情報受付部２１２は、経路情報が異常である旨を示すエラーメッセージを経路画面１２０に表示することによって、正常な経路情報の入力を促す。そして、処理はＳ１１２に戻る。
【００６９】
図１２に戻り、Ｓ１２０から説明を続ける。
Ｓ１２０において、ネットワーク管理装置２００は、図６に示すような割り当て画面１３０を管理端末装置１０２の表示装置に表示させる。
【００７０】
図１５に基づいて、割り当て画面表示処理（Ｓ１２０）について説明する。
Ｓ１２１は使用状況表生成処理である。
Ｓ１２１において、使用状況表生成部２２１は、リンク管理ファイル２９２を用いて、図６に示すような使用状況表１３９を生成する。
【００７１】
図１６に基づいて、使用状況表生成処理（Ｓ１２１）について説明する。
Ｓ１２１１において、使用状況表生成部２２１は、二次元配列の形式で使用状況表１３９を生成する。
使用状況表１３９の行の要素は、ネットワークシステムで使用される周波数スロットの中心周波数およびＦＳ番号である。中心周波数およびＦＳ番号は、ネットワーク管理ファイル２９１から取得される。
使用状況表１３９の列の要素は、受け付けられた経路情報に含まれる複数のリンク名である。
【００７２】
Ｓ１２１２において、使用状況表生成部２２１は、受け付けられた経路情報に含まれるリンク名毎に、リンク名に対応する使用ＦＳ番号をリンク管理ファイル２９２から抽出する。
【００７３】
Ｓ１２１３において、使用状況表生成部２２１は、受け付けられた経路情報に含まれるリンク名毎に、リンク名と抽出した使用ＦＳ番号とに対応するセルを使用状況表１３９から選択する。そして、使用状況表生成部２２１は、選択したセルを網掛けにする。
Ｓ１２１３の後、使用状況表生成処理（Ｓ１２１）は終了する。
【００７４】
図１５に戻り、Ｓ１２２から説明を続ける。
Ｓ１２２は空き管理処理である。
Ｓ１２２において、空き管理部２２２は、使用状況表１３９を用いて、空き範囲ファイル２９３を生成する。
【００７５】
図１７に基づいて、空き管理処理（Ｓ１２２）について説明する。
Ｓ１２２１において、空き管理部２２２は、使用状況表１３９の先頭行を作業ポインタに設定する。
【００７６】
Ｓ１２２２において、空き管理部２２２は、作業ポインタが示す行から下方に使用状況表１３９を検索し、空きスロット行が有るか判定する。
空きスロット行は、空きスロットのＦＳ番号に対応する行である。空きスロットは、対応する全てのセルの表示態様が未使用の表示態様である周波数スロットである。つまり、空きスロットは、複数のリンクのいずれのリンクでも使用されていない周波数スロットである。
図６において、ＦＳ番号が９である行は、対応する全てのセルが網掛けでないため、空きスロット行である。
空きスロット行が有る場合、処理はＳ１２２３に進む。
空きスロット行が無い場合、空き管理処理（Ｓ１２２）は終了する。
【００７７】
Ｓ１２２３において、空き管理部２２２は、空きスロット行から連続する空きスロット行の範囲を空き範囲として特定する。
図６において、ＦＳ番号が９である行からＦＳ番号が１１である行までの連続する３行は、いずれも空きスロット行である。しかし、ＦＳ番号が１２である行は空きスロット行でない。したがって、ＦＳ番号が９である行からＦＳ番号が１１である行までの連続する３行が空き範囲である。
【００７８】
Ｓ１２２４において、空き管理部２２２は、ＦＳ数と最小ＦＳ番号と最大ＦＳ番号とを含んだ空き管理エントリを生成し、生成した空き管理エントリをスロット数管理ファイル２９４に追加する。
ＦＳ番号が９である行からＦＳ番号が１１である行までの連続する３行が空き範囲である場合、ＦＳ数は３であり、最小ＦＳ番号は９であり、最大ＦＳ番号は１１である。したがって、図１０の空き範囲ファイル２９３において、Ｎｏ．２の空き管理エントリが追加される。
【００７９】
Ｓ１２２５において、空き管理部２２２は、空き範囲の後ろに次の行があるか判定する。
空き範囲の後ろに次の行が有る場合、処理はＳ１２２６に進む。
空き範囲の後ろに次の行が無い場合、空き管理処理（Ｓ１２２）は終了する。
【００８０】
Ｓ１２２６において、空き管理部２２２は、空き範囲の次の行を作業ポインタに設定する。
【００８１】
図１５に戻り、Ｓ１２３から説明を続ける。
Ｓ１２３は割り当て画面表示処理である。
Ｓ１２３において、割り当て画面表示部２１４は、使用状況表１３９を含んだ割り当て画面１３０のデータを生成する。
そして、割り当て画面表示部２１４は、割り当て画面１３０のデータを管理端末装置１０２に送信することによって、管理端末装置１０２の表示装置に割り当て画面１３０を表示させる。
これにより、図６に示すような割り当て画面１３０が管理端末装置１０２の表示装置に表示される。
Ｓ１２３の後、割り当て画面表示処理（Ｓ１２０）は終了する。
【００８２】
図１２に戻り、Ｓ１３０から説明を続ける。
Ｓ１３０において、ネットワーク管理装置２００は、割り当て範囲を抽出する。
【００８３】
図１８および図１９に基づいて、割り当て範囲抽出処理（Ｓ１３０）について説明する。
Ｓ１３１はスロット数受付処理である。
Ｓ１３１において、属性情報受付部２１５は、割り当て画面１３０に入力された属性情報を受け付ける。
【００８４】
Ｓ１３２において、属性情報受付部２１５は、スロット数管理ファイル２９４を用いて、必要ＦＳ数を特定する。
必要ＦＳ数は、スロット数管理ファイル２９４に含まれるスロット数のうち、属性情報に含まれる変調方式と属性情報に含まれる帯域幅とに対応付いたスロット数である。
図７の割り当て画面１３０において、変調方式としてＱＰＳＫが入力されて、帯域幅として１００Ｇｂｐｓが入力されたものとする。この場合、図９のリンク管理ファイル２９２を用いて特定される必要ＦＳ数は３である。
【００８５】
必要ＦＳ数が特定された場合、割り当て画面表示部２１４は、割り当て画面１３０の第４のテキストボックス１３４に必要ＦＳ数を表示する。
【００８６】
Ｓ１３３は指定スロット受付処理である。
Ｓ１３３において、属性情報受付部２１５は、割り当て画面１３０の使用状況表１３９で指定された指定ＦＳ番号を受け付ける。
図７の割り当て画面１３０において、ＦＳ番号が１１である行が指定スロット行である。したがって、指定ＦＳ番号は１１である。
【００８７】
Ｓ１３４〜Ｓ１３７は割り当て範囲抽出処理である。
Ｓ１３４において、割り当て範囲抽出部２２３は、指定ＦＳ番号に基づいて、第１の空き範囲エントリを特定する。
第１の空き範囲エントリは、空き範囲ファイル２９３に含まれるエントリのうち、指定ＦＳ番号を含んだ空き範囲に対応するエントリである。
図１０の空き範囲ファイル２９３において、指定ＦＳ番号が１１である場合、第１の空き範囲エントリは、Ｎｏ．２のエントリである。
【００８８】
Ｓ１３５において、割り当て範囲抽出部２２３は、第１の空き範囲エントリに該当するエントリが有るか判定する。
第１の空き範囲エントリに該当するエントリが有る場合、処理はＳ１３６に進む。
第１の空き範囲エントリに該当するエントリが無い場合、処理はＳ１３８１に進む。
【００８９】
Ｓ１３６において、割り当て範囲抽出部２２３は、第１の空き範囲エントリに含まれるＦＳ数を空きＦＳ数として取得する。
そして、割り当て範囲抽出部２２３は、必要ＦＳ数と空きＦＳ数とを比較する。
必要ＦＳ数が空きＦＳ数以下である場合、処理はＳ１３７に進む。
必要ＦＳ数が空きＦＳ数未満である場合、処理はＳ１３８１に進む。
【００９０】
図１０の空き範囲ファイル２９３において、第１の空き範囲エントリがＮｏ．２のエントリである場合、空きＦＳ数は３である。
必要ＦＳ数が３である場合、必要ＦＳ数が空きＦＳ数以下であるため、処理はＳ１３７に進む。
【００９１】
Ｓ１３７において、割り当て範囲抽出部２２３は、第１の空き範囲エントリから割り当て範囲を抽出する。
ここで、指定ＦＳ番号をＸと記し、必要ＦＳ数をＹと記す。また、第１の空き範囲エントリの最大ＦＳ番号をＭａｘと記す。
Ｍａｘ≧（Ｘ＋Ｙ−１）である場合、ＦＳ番号がＸである周波数スロットからＦＳ番号が（Ｘ＋Ｙ−１）である周波数スロットまでのスロット範囲が、割り当て範囲として抽出される。
Ｍａｘ＜（Ｘ＋Ｙ−１）である場合、ＦＳ番号が（Ｍａｘ−Ｙ＋１）である周波数スロットからＦＳ番号がＭａｘである周波数スロットまでのスロット範囲が、割り当て範囲として抽出される。
【００９２】
図１０の空き範囲ファイル２９３において、第１の空き範囲エントリがＮｏ．２のエントリである場合、最大ＦＳ番号は１１である。
指定ＦＳ番号が１１であり、必要ＦＳ数が３である場合、割り当て範囲は、ＦＳ番号が９である周波数スロットからＦＳ番号が１１である周波数スロットまでのスロット範囲である。
Ｓ１３７の後、割り当て範囲抽出処理（Ｓ１３０）は終了する。
【００９３】
Ｓ１３８１〜Ｓ１３８５は割り当て範囲抽出処理である。
Ｓ１３８１において、割り当て範囲抽出部２２３は、必要ＦＳ数に基づいて、第２の空き範囲エントリを特定する。
第２の空き範囲エントリは、空き範囲ファイル２９３に含まれるエントリのうち、必要ＦＳ数以上の周波数スロットを含んだ空き範囲に対応するエントリである。
図１０の空き範囲ファイル２９３において、必要ＦＳ数が３である場合、第２の空き範囲エントリは、Ｎｏ．２のエントリである。
【００９４】
Ｓ１３８２において、割り当て範囲抽出部２２３は、第２の空き範囲エントリに該当するエントリが有るか判定する。
第２の空き範囲エントリに該当するエントリが有る場合、処理はＳ１３８３に進む。
第２の空き範囲エントリに該当するエントリが無い場合、割り当て範囲は抽出されず、割り当て範囲抽出処理（Ｓ１３０）は終了する。
【００９５】
Ｓ１３８３において、複数の第２の空き範囲エントリがある場合、割り当て範囲抽出部２２３は、指定ＦＳ番号を用いて、いずれかの第２の空き範囲エントリを選択する。
選択される第２の空き範囲エントリは、複数の第２の空き範囲エントリのうち、ＦＳ距離が最も小さいエントリである。ＦＳ距離は、指定スロットから空き範囲までの周波数スロットの数に相当する。
ここで、指定ＦＳ番号をＸと記し、最大ＦＳ番号をＭａｘと記し、最小ＦＳ番号をＭｉｎと記す。ＦＳ距離は、｜Ｘ−Ｍａｘ｜と｜Ｘ−ｍｉｎ｜とのうちの小さい方の値である。｜ｎ｜はｎの絶対値を意味する。
【００９６】
Ｓ１３８４において、割り当て範囲抽出部２２３は、選択した第２の空き範囲エントリのＦＳ距離を距離閾値と比較する。
ＦＳ距離が距離閾値未満である場合、処理はＳ１３８５に進む。
ＦＳ距離が距離閾値より大きい場合、割り当て範囲は抽出されず、割り当て範囲抽出処理（Ｓ１３０）は終了する。
【００９７】
Ｓ１３８５において、割り当て範囲抽出部２２３は、選択した第２の空き範囲エントリから割り当て範囲を抽出する。
ここで、指定ＦＳ番号をＸと記し、必要ＦＳ数をＹと記す。また、第２の空き範囲エントリにおいて、最大ＦＳ番号をＭａｘと記し、最小ＦＳ番号をＭｉｎと記す。
Ｍｉｎ＞Ｘである場合、ＦＳ番号がＭｉｎである周波数スロットからＦＳ番号が（Ｍｉｎ＋Ｙ−１）である周波数スロットまでのスロット範囲が、割り当て範囲として抽出される。
Ｍｉｎ≦Ｘである場合、ＦＳ番号が（Ｍａｘ−Ｙ＋１）である周波数スロットからＦＳ番号がＭａｘである周波数スロットまでのスロット範囲が、割り当て範囲として抽出される。
Ｓ１３８５の後、割り当て範囲抽出処理（Ｓ１３０）は終了する。
【００９８】
図１２に戻り、Ｓ１４０から説明を続ける。
Ｓ１４０において、割り当て範囲抽出部２２３は、割り当て範囲が有るか判定する。
割り当て範囲が有る場合、処理はＳ１５０に進む。
割り当て範囲が無い場合、割り当て画面表示部２１４は、割り当て範囲が無い旨を示すエラーメッセージを割り当て画面１３０に表示することによって、新たな属性情報の入力または新たな指定スロットの指定を促す。そして、処理はＳ１３０に戻る。
【００９９】
図２０の割り当て画面１３０において、ＦＳ番号が１９である周波数スロットが指定スロットとして指定された。
しかし、指定スロットまでのＦＳ距離が距離閾値未満である空き範囲が無かった。
そのため、割り当て範囲が無い旨を示すエラーメッセージが割り当て画面１３０に表示されている。
【０１００】
図１２に戻り、Ｓ１５０から説明を続ける。
Ｓ１５０は割り当て範囲表示処理である。
Ｓ１５０において、割り当て範囲表示部２２４は、割り当て画面１３０に含まれる使用状況表１３９から、割り当て範囲に対応する複数のセルを選択する。
そして、割り当て範囲表示部２２４は、選択した複数のセルを塗りつぶす。
【０１０１】
図７の割り当て画面１３０において、ＦＳ番号が１１である周波数スロットが指定スロットとして指定された。
また、ＦＳ番号が９である周波数スロットからＦＳ番号が１１である周波数スロットまでのスロット範囲が空き範囲であった。この空き範囲は、指定スロットを含んでいる。そのため、この空き範囲が割り当て範囲として抽出された。
そして、割り当て範囲に対応するセルが塗りつぶされた。
【０１０２】
図２１の割り当て画面１３０において、ＦＳ番号が１４である周波数スロットが指定スロットとして指定された。
また、ＦＳ番号が９である周波数スロットからＦＳ番号が１１である周波数スロットまでのスロット範囲が空き範囲であった。この空き範囲から指定スロットまでのＦＳ距離は、距離閾値未満である空き範囲である。そのため、この空き範囲が割り当て範囲として抽出された。
そして、この割り当て範囲に対応するセルが塗りつぶされた。
【０１０３】
割り当て画面１３０において、登録ボタン１３７が押下された場合、処理はＳ１６０に進む。
【０１０４】
Ｓ１６０はネットワーク制御処理である。
ネットワーク制御部２３０は、リンク管理ファイル２９２を以下のように更新する。
ネットワーク制御部２３０は、使用状況表１３９に示されるリンク名に対応するリンクエントリをリンク管理ファイル２９２から選択する。
そして、ネットワーク制御部２３０は、選択したリンクエントリが示す使用ＦＳ番号に、割り当て範囲に対応するＦＳ番号を追加する。
【０１０５】
ネットワーク制御部２３０は、指定された伝送経路に含まれる複数の伝送装置に伝送経路の属性情報と周波数スロットの割り当て情報とを以下のように設定する。
ネットワーク制御部２３０は、使用状況表１３９に示されるリンク名に対応する装置名をリンク管理ファイル２９２から取得する。
そして、ネットワーク制御部２３０は、取得した装置名で識別される伝送装置に、受け付けられた属性情報と、抽出された割り当て範囲を示す割り当て情報とを送信する。
これにより、指定された伝送経路に含まれる複数の伝送装置に伝送経路の属性情報と周波数スロットの割り当て情報が設定される。
その後、指定された伝送装置において、割り当てられた周波数スロットを用いて、通信が行われる。
Ｓ１６０の後、ネットワーク管理方法の処理は終了する。
【０１０６】
＊＊＊効果の説明＊＊＊
ネットワーク管理装置２００は、指定された伝送経路に、未使用の周波数スロットを割り当てることができる。そのため、管理者１０１は、伝送経路に割り当てる周波数スロットを判断する必要がない。したがって、管理者１０１の作業負担が低減される。
ネットワーク管理装置２００は、二次元配列の形式の使用状況表１３９を含んだ割り当て画面１３０を表示することができる。管理者１０１は、割り当て画面１３０を参照することによって、周波数スロットの空き範囲を目視で確認することができる。これにより、利便性が向上する。
【０１０７】
＊＊＊他の構成＊＊＊
対象とするネットワークシステムは、光ネットワーク１１０以外のネットワークシステムでもよい。
管理者１０１は、管理端末装置１０２を介してネットワーク管理装置２００を利用する代わりに、ＨＭＩを有するネットワーク管理装置２００を直接に操作してもよい。
割り当て画面１３０において、使用状況表１３９に含まれるセルは、周波数スロットが使用されていない状況と、周波数スロットが使用されている状況と、周波数スロットが割り当てられる状況とを、様々な表示態様で表すことができる。模様と、塗りつぶしと、色と、枠の太さと、記入される文字または記号は、セルの表示態様の一例である。
【０１０８】
＊＊＊ハードウェア構成の説明＊＊＊
図２２に基づいて、ネットワーク管理装置２００のハードウェア構成例について説明する。
ネットワーク管理装置２００は、プロセッサ９０１、補助記憶装置９０２、メモリ９０３、通信装置９０４、入力インタフェース９０５、出力インタフェース９０６といったハードウェアを備えるコンピュータである。
プロセッサ９０１は信号線９１０を介して他のハードウェアと接続されている。入力インタフェース９０５はケーブル９１１を介して入力装置９０７に接続されている。出力インタフェース９０６はケーブル９１２を介して出力装置９０８に接続されている。
【０１０９】
プロセッサ９０１は、プロセッシングを行うＩＣであり、他のハードウェアを制御する。プロセッサ９０１の一例は、ＣＰＵ、ＤＳＰ、ＧＰＵである。ＩＣはＩｎｔｅｇｒａｔｅｄ  Ｃｉｒｃｕｉｔの略称である。ＣＰＵはＣｅｎｔｒａｌ  Ｐｒｏｃｅｓｓｉｎｇ  Ｕｎｉｔの略称であり、ＤＳＰはＤｉｇｉｔａｌ  Ｓｉｇｎａｌ  Ｐｒｏｃｅｓｓｏｒの略称であり、ＧＰＵはＧｒａｐｈｉｃｓ  Ｐｒｏｃｅｓｓｉｎｇ  Ｕｎｉｔの略称である。
補助記憶装置９０２はデータを記憶する。補助記憶装置９０２の一例は、ＲＯＭ、フラッシュメモリ、ＨＤＤである。ＲＯＭはＲｅａｄ  Ｏｎｌｙ  Ｍｅｍｏｒｙの略称であり、ＨＤＤはＨａｒｄ  Ｄｉｓｋ  Ｄｒｉｖｅの略称である。
メモリ９０３はデータを記憶する。メモリ９０３の一例はＲＡＭである。ＲＡＭはＲａｎｄｏｍ  Ａｃｃｅｓｓ  Ｍｅｍｏｒｙの略称である。
通信装置９０４は、データを受信するレシーバ９０４１と、データを送信するトランスミッタ９０４２とを備える。通信装置９０４の一例は、通信チップ、ＮＩＣである。ＮＩＣはＮｅｔｗｏｒｋ  Ｉｎｔｅｒｆａｃｅ  Ｃａｒｄの略称である。
入力インタフェース９０５はケーブル９１１が接続されるポートであり、ポートの一例はＵＳＢ端子である。ＵＳＢはＵｎｉｖｅｒｓａｌ  Ｓｅｒｉａｌ  Ｂｕｓの略称である。
出力インタフェース９０６はケーブル９１２が接続されるポートであり、ＵＳＢ端子およびＨＤＭＩ端子はポートの一例である。ＨＤＭＩ（登録商標）はＨｉｇｈ  Ｄｅｆｉｎｉｔｉｏｎ  Ｍｕｌｔｉｍｅｄｉａ  Ｉｎｔｅｒｆａｃｅの略称である。
入力装置９０７はデータ、命令および要求を入力する。入力装置９０７の一例は、マウス、キーボード、タッチパネルである。
出力装置９０８はデータ、結果および応答を出力する。出力装置９０８の一例は、ディスプレイ、プリンタである。ディスプレイの一例はＬＣＤである。ＬＣＤはＬｉｑｕｉｄ  Ｃｒｙｓｔａｌ  Ｄｉｓｐｌａｙの略称である。
【０１１０】
補助記憶装置９０２にはＯＳが記憶されている。ＯＳはＯｐｅｒａｔｉｎｇ  Ｓｙｓｔｅｍの略称である。
また、補助記憶装置９０２には、ＧＵＩ制御部２１０とプロビジョニング部２２０とネットワーク制御部２３０といった「部」の機能を実現するプログラムが記憶されている。「部」の機能を実現するプログラムは記憶媒体に記憶することができる。
ＯＳの少なくとも一部はメモリ９０３にロードされ、プロセッサ９０１はＯＳを実行しながら「部」の機能を実現するプログラムを実行する。「部」の機能を実現するプログラムは、メモリ９０３にロードされ、プロセッサ９０１に読み込まれ、プロセッサ９０１によって実行される。
なお、ネットワーク管理装置２００が複数のプロセッサ９０１を備えて、複数のプロセッサ９０１が「部」の機能を実現するプログラムを連携して実行してもよい。
【０１１１】
「部」の処理の結果を示すデータ、情報、信号値および変数値などは、メモリ９０３、補助記憶装置９０２、プロセッサ９０１内のレジスタ、または、プロセッサ９０１内のキャッシュメモリに記憶される。
【０１１２】
「部」は「サーキットリ」で実装してもよい。「部」は「回路」、「工程」、「手順」または「処理」に読み替えてもよい。
「回路」及び「サーキットリ」は、プロセッサ９０１、ロジックＩＣ、ＧＡ、ＡＳＩＣ、ＦＰＧＡといった処理回路を包含する概念である。ＧＡはＧａｔｅ  Ａｒｒａｙの略称であり、ＡＳＩＣはＡｐｐｌｉｃａｔｉｏｎ  Ｓｐｅｃｉｆｉｃ  Ｉｎｔｅｇｒａｔｅｄ  Ｃｉｒｃｕｉｔの略称であり、ＦＰＧＡはＦｉｅｌｄ−Ｐｒｏｇｒａｍｍａｂｌｅ  Ｇａｔｅ  Ａｒｒａｙの略称である。
【０１１３】
実施の形態は、好ましい形態の例示であり、本発明の技術的範囲を制限することを意図するものではない。実施の形態は、部分的に実施してもよいし、他の形態と組み合わせて実施してもよい。
フローチャート等を用いて説明した処理手順は、ネットワーク管理装置、ネットワーク管理方法およびネットワーク管理プログラムの処理手順の一例である。
【符号の説明】
【０１１４】
１００  ネットワーク管理システム、１０１  管理者、１０２  管理端末装置、１０３  ネットワーク、１１０  光ネットワーク、１２０  経路画面、１２１  第１のテキストボックス、１２２  第２のテキストボックス、１２３  第３のテキストボックス、１２４  経路表、１２５  取消ボタン、１２６  決定ボタン、１２７  ネットワーク構成図、１３０  割り当て画面、１３１  第１のテキストボックス、１３２  第２のテキストボックス、１３３  第３のテキストボックス、１３４  第４のテキストボックス、１３５Ａ  上ボタン、１３５Ｂ  下ボタン、１３６  取消ボタン、１３７  登録ボタン、１３８  経路図、１３９  使用状況表、２００  ネットワーク管理装置、２１０  ＧＵＩ制御部、２１１  経路画面表示部、２１２  経路情報受付部、２１３  リンク情報受付部、２１４  割り当て画面表示部、２１５  属性情報受付部、２１６  スロット数受付部、２１７  指定スロット受付部、２２０  プロビジョニング部、２２１  使用状況表生成部、２２２  空き管理部、２２３  割り当て範囲抽出部、２２４  割り当て範囲表示部、２３０  ネットワーク制御部、２９０  記憶部、２９１  ネットワーク管理ファイル、２９２  リンク管理ファイル、２９３  空き範囲ファイル、２９４  スロット数管理ファイル、９０１  プロセッサ、９０２  補助記憶装置、９０３  メモリ、９０４  通信装置、９０４１  レシーバ、９０４２  トランスミッタ、９０５  入力インタフェース、９０６  出力インタフェース、９０７  入力装置、９０８  出力装置、９１０  信号線、９１１  ケーブル、９１２  ケーブル。
【図１】
2017013708.tif 000003
【図２】
2017013708.tif 000004
【図３】
2017013708.tif 000005
【図４】
2017013708.tif 000006
【図５】
2017013708.tif 000007
【図６】
2017013708.tif 000008
【図７】
2017013708.tif 000009
【図８】
2017013708.tif 000010
【図９】
2017013708.tif 000011
【図１０】
2017013708.tif 000012
【図１１】
2017013708.tif 000013
【図１２】
2017013708.tif 000014
【図１３】
2017013708.tif 000015
【図１４】
2017013708.tif 000016
【図１５】
2017013708.tif 000017
【図１６】
2017013708.tif 000018
【図１７】
2017013708.tif 000019
【図１８】
2017013708.tif 000020
【図１９】
2017013708.tif 000021
【図２０】
2017013708.tif 000022
【図２１】
2017013708.tif 000023
【図２２】
2017013708.tif 000024
【手続補正書】
【提出日】平成29年3月7日(2017.3.7)
【手続補正１】
【補正対象書類名】特許請求の範囲
【補正対象項目名】全文
【補正方法】変更
【補正の内容】
【特許請求の範囲】
【請求項１】
ネットワークシステムが有するリンクを識別するリンク識別子と前記ネットワークシステムで使用される周波数スロットを識別するスロット識別子とを行と列とに有する二次元配列の形式で並べられたセルを有する表であって、セルに対応する周波数スロットがセルに対応するリンクで使用されているか否かの状況をセルの表示態様で表した表である使用状況表を生成する使用状況表生成部と、
生成された使用状況表を含んだ割り当て画面を表示装置に表示させる割り当て画面表示部と
を備えるネットワーク管理装置であって、
前記使用状況表は、複数のリンクのそれぞれのリンク識別子と、周波数が連続する複数の周波数スロットのそれぞれのスロット識別子と、に対応するセルを含み、
前記ネットワーク管理装置は、
周波数スロットの数を特定するスロット数情報を受け付けるスロット数受付部と、
前記複数の周波数スロットから、前記複数のリンクのいずれのリンクでも使用されていない周波数スロットが連続しているスロット範囲であって受け付けられたスロット数情報によって特定される数の周波数スロットから成るスロット範囲を割り当て範囲として抽出する割り当て範囲抽出部と、
前記使用状況表に含まれるセルのうち、抽出された割り当て範囲に対応するセルの表示態様を、割り当て範囲を表す表示態様にする割り当て範囲表示部と
を備えるネットワーク管理装置。
【請求項２】
前記ネットワーク管理装置は、
指定スロットを識別する指定スロット識別子を受け付ける指定スロット受付部を備え、
前記割り当て範囲抽出部は、受け付けられた指定スロット識別子で識別される指定スロットを含むことを条件にして、前記割り当て範囲を抽出する
請求項１に記載のネットワーク管理装置。
【請求項３】
前記割り当て範囲抽出部は、前記指定スロットを含んだスロット範囲を前記割り当て範囲として抽出できない場合、前記指定スロットを含まないスロット範囲を前記割り当て範囲として抽出する
請求項２に記載のネットワーク管理装置。
【請求項４】
前記割り当て範囲抽出部は、前記指定スロットからスロット範囲までの周波数スロットの数が閾値よりも少ないことを条件にして、前記指定スロットを含まないスロット範囲を前記割り当て範囲として抽出する
請求項３に記載のネットワーク管理装置。
【請求項５】
前記割り当て範囲抽出部は、前記複数のリンクのいずれのリンクでも使用されていない周波数スロットが連続しているスロット範囲を特定する空き範囲情報を含んだ空き範囲ファイルを用いて、前記割り当て範囲を抽出する
請求項２に記載のネットワーク管理装置。
【請求項６】
前記割り当て範囲抽出部は、前記空き範囲ファイルから、前記指定スロット識別子で識別される周波数スロットを含んで前記スロット数情報によって特定される数以上の周波数スロットを含んだスロット範囲を特定する空き範囲情報を選択し、選択した空き範囲情報によって特定されるスロット範囲から前記割り当て範囲を抽出する
請求項５に記載のネットワーク管理装置。
【請求項７】
前記使用状況表を用いて前記空き範囲ファイルを生成する空き管理部を備える請求項５に記載のネットワーク管理装置。
【請求項８】
前記割り当て画面は、変調方式を指定するためのユーザインタフェースと、帯域幅を指定するためのユーザインタフェースとを有し、
前記スロット数受付部は、前記割り当て画面で指定された変調方式と帯域幅とを前記スロット数情報として受け付け、変調方式と帯域幅とに対応付けられたスロット数を含んだスロット数管理ファイルから、前記スロット数情報に含まれる変調方式と帯域幅とに対応付けられたスロット数を、前記スロット数情報によって特定される数として選択する
請求項１に記載のネットワーク管理装置。
【請求項９】
ネットワークシステムが有する複数のリンクのそれぞれを識別するリンク識別子と前記ネットワークシステムで使用され周波数が連続する複数の周波数スロットのそれぞれを識別するスロット識別子とを行と列とに有する二次元配列の形式で並べられたセルを有する表であって、セルに対応する周波数スロットがセルに対応するリンクで使用されているか否かの状況をセルの表示態様で表した表である使用状況表を生成する使用状況表生成処理と、
生成された使用状況表を含んだ割り当て画面を表示装置に表示させる割り当て画面表示処理と、
周波数スロットの数を特定するスロット数情報を受け付けるスロット数受付処理と、
前記複数の周波数スロットから、前記複数のリンクのいずれのリンクでも使用されていない周波数スロットが連続しているスロット範囲であって受け付けられたスロット数情報によって特定される数の周波数スロットから成るスロット範囲を割り当て範囲として抽出する割り当て範囲抽出処理と、
前記使用状況表に含まれるセルのうち、抽出された割り当て範囲に対応するセルの表示態様を、割り当て範囲を表す表示態様にする割り当て範囲表示処理と
をコンピュータに実行させるためのネットワーク管理プログラム。
【国際調査報告】
2017013708.tif 000025
2017013708.tif 000026